(57)【要約】【課題】装置サイズを大きくすることなく、かつ移動時の衝撃を抑えつつスライド量が大きいポップアップ機構を備えた撮像装置を提供する。【解決手段】ＥＶＦフォルダ３０に回動自在に保持されたアシストレバー３４と、電子ビューファインダ２０に固定された第１の係止ピン２２ａと、一端がアシストレバー３４に係止され、他端がＥＶＦフォルダ３０に係止されてアシストレバー３４を回動させるように付勢するトグルバネ３５を備え、トグルバネ３５は、アシストレバー３４を第１の方向に付勢すると共に変曲点を境にアシストレバー３４を第２の方向へ付勢し、アシストレバー３４は、電子ビューファインダ２０がポップアップバネ３１による移動幅の終点に達する前に第１の係止ピン２２ａと当接して電子ビューファインダ２０を第１の方向に付勢し、電子ビューファインダ２０が移動幅の終点に達した後、電子ビューファインダ２０を第２の方向に付勢する。【選択図】図７
2020086060.tif 000002
【特許請求の範囲】
【請求項１】
装置本体と、
装置本体内の収納位置と、前記装置本体から突出した使用位置との間で移動可能な可動部材と、
前記可動部材をスライド可能に保持し、前記装置本体内の所定位置に固定された固定部材と、
前記可動部材を前記収納位置から前記使用位置へ向けて付勢する付勢手段と、
前記固定部材に回動自在に保持されたレバー部材と、
前記可動部材に固定された第１の係止部材と、
一端が前記レバー部材に係止され、他端が前記固定部材に係止されて前記レバー部材を回動させるように付勢するバネ部材と、を備え、
前記バネ部材は、前記レバー部材を第１の円弧方向に付勢するとともに、変曲点を境に前記レバー部材を前記第１の円弧方向と対向する第２の円弧方向へ付勢し、
前記レバー部材は、
前記可動部材が前記付勢手段の付勢力によって移動する移動幅の終点に達する際に前記第１の係止部材と当接する当接部を備え、
前記可動部材が前記移動幅の終点に達する前に、前記第１の係止部材と当接して前記可動部材を前記付勢手段による付勢方向とは反対方向に付勢し、前記可動部材が前記移動幅の終点に達した後、前記第１の係止部材と当接して前記可動部材を前記付勢手段による付勢方向と同じ方向に付勢することを特徴とする撮像装置。
【請求項２】
前記バネ部材は、前記可動部材が前記移動幅の終点に達する際、前記変曲点に達することを特徴とする請求項１記載の撮像装置。
【請求項３】
前記変曲点では、前記レバー部材の回転軸の中心と当該レバー部材と前記バネ部材との係合部の中心を結ぶ直線Ｌ１と、前記バネ部材の左右両端の中心を結ぶ直線Ｌ２とが交叉角度θ＝０で重なっていることを特徴とする請求項２記載の撮像装置。
【請求項４】
前記レバー部材は、回転軸を中心に回動する第１の当接部及び第２の当接部を備えており、
前記バネ部材が前記変曲点に達する前、前記第１の当接部が前記第１の係止部材と当接し、前記バネ部材が前記変曲点に達した後、前記第２の当接部が前記第１の係止部材と当接することを特徴とする請求項１乃至３の何れか１項に記載の撮像装置。
【請求項５】
前記レバー部材は、前記第１の円弧方向に付勢された際、前記可動部材を前記付勢手段による付勢方向とは反対方向に付勢し、前記第２の円弧方向に付勢された際、前記可動部材を前記付勢手段による付勢方向に付勢することを特徴とする請求項１乃至４の何れか１項に記載の撮像装置。
【請求項６】
前記付勢手段によって付勢された可動部材の移動速度は、前記可動部材が前記移動幅の終点に近づくほど減速することを特徴とする請求項１乃至５の何れか１項に記載の撮像装置。
【請求項７】
前記可動部材が前記移動幅の終点に達した後、前記レバー部材は前記第１の係止部材を付勢して前記可動部材を前記使用位置まで移動させることを特徴とする請求項１乃至６の何れか１項に記載の撮像装置。
【請求項８】
前記レバー部材の前記第１の当接部および第２の当接部の表面に、衝撃吸収材が貼着されていることを特徴とする請求項４乃至７の何れか１項に記載の撮像装置。
【請求項９】
前記レバー部材および前記衝撃吸収材は導電性材料で形成されており、かつ前記可動部材は、前記第１の係止部材に対して当該可動部材の移動方向に間隔を隔てて設けられた第２の係止部材を備えており、
前記可動部材が前記収納位置にある場合、前記レバー部材の第１の当接部は、前記第２の係止部材と当接して前記可動部材と前記固定部材を電気的に導通させ、前記可動部材が前記使用位置にある場合、前記レバー部材の第２の当接部は、前記第１の係止部材と当接して前記可動部材と前記固定部材を電気的に導通させることを特徴とする請求項８記載の撮像装置。
【請求項１０】
前記第２の係止部材は、前記可動部材が前記収納位置にある場合、前記レバー部材の前記第１の当接部を押圧して前記レバー部材の回動を抑制することを特徴とする請求項９記載の撮像装置。
【請求項１１】
前記可動部材は、接眼部を備えた電子ビューファインダ又は発光部を備えたストロボ装置であることを特徴とする請求項１乃至１０の何れか１項に記載の撮像装置。
【発明の詳細な説明】
【技術分野】
【０００１】
本発明は、装置本体内の収納位置と、装置本体から突出した使用位置との間で移動可能な表示部を備えた撮像装置に関する。
【背景技術】
【０００２】
装置本体に対して突出可能に設けられた可動部を有し、可動部を２つのリンク部材で回動可能に保持し、複数のバネによって突出した使用位置へと可動させるデジタルカメラが知られており、特許文献１に開示されている。
【０００３】
また、装置本体に収納された収納状態と突出した使用状態との間における状態移行が可能なビューファインダを備えた撮像装置が知られており、特許文献２に開示されている。
【先行技術文献】
【特許文献】
【０００４】
【特許文献１】特開２０１５−０２５８３８号公報
【特許文献２】特開２０１５−２２７９０１号公報
【発明の概要】
【発明が解決しようとする課題】
【０００５】
しかしながら、上記特許文献１記載のデジタルカメラは、複数のリンク部材を介して可動部が保持されており、部品点数が多くかつ構成が複雑になるので、装置自体の小型化を図ることが困難であった。
【０００６】
また、特許文献２記載の撮像装置においては、装置本体に固定されたベースフレームと、可動部のスライドフレーム同士を引っ張りバネで付勢することによってビューファインダを装置本体から突出した位置までスライド移動させている。このため、可動部のスライド量を大きくしようとすると収納状態におけるバネの自然長を大きくしなければならず、稼働時の衝撃が大きくなって品位を損なうという懸念があった。
【０００７】
そこで、本発明は、装置サイズを大きくすることなく、かつ可動部材が移動する移動時の衝撃を抑えつつスライド量を大きくすることができるポップアップ機構を備えた撮像装置を提供することを目的とする。
【課題を解決するための手段】
【０００８】
上記目的を達成するために、請求項１記載の撮像装置は、装置本体と、前記装置本体内の収納位置と、前記装置本体から突出した使用位置との間で移動可能な可動部材と、前記可動部材をスライド可能に保持し、前記装置本体内の所定位置に固定された固定部材と、前記可動部材を前記収納位置から前記使用位置へ向けて付勢する付勢手段と、前記固定部材に回動自在に保持されたレバー部材と、前記可動部材に固定された第１の係止部材と、一端が前記レバー部材に係止され、他端が前記固定部材に係止されて前記レバー部材を回動させるように付勢するバネ部材と、を備え、前記バネ部材は、前記レバー部材を第１の円弧方向に付勢するとともに、変曲点を境に前記レバー部材を前記第１の円弧方向と対向する第２の円弧方向へ付勢し、前記レバー部材は、前記可動部材が前記付勢手段の付勢力によって移動する移動幅の終点に達する際に前記第１の係止部材と当接する当接部を備え、前記可動部材が前記移動幅の終点に達する前に、前記第１の係止部材と当接して前記可動部材を前記付勢手段による付勢方向とは反対方向に付勢し、前記可動部材が前記移動幅の終点に達した後、前記第１の係止部材と当接して前記可動部材を前記付勢手段による付勢方向と同じ方向に付勢することを特徴とする。
【発明の効果】
【０００９】
本発明によれば、レバー部材とバネ部材を組合わせて、可動部材が付勢手段による移動幅の終点に達した後、レバー部材によって可動部材を付勢手段による付勢方向と同じ方向に付勢するように構成した。これによって、省スペースな構成で移動時の衝撃を抑えつつスライド量が大きいポップアップ機構を備えた撮像装置を提供することができる。
【図面の簡単な説明】
【００１０】
【図１】本発明の実施形態に係る撮像装置の斜視図である。
【図２】電子ビューファインダをポップアップさせた撮像装置の斜視図である。
【図３】電子ビューファインダの展開図である。
【図４】電子ビューファインダの可動ユニット及びアシストレバーを示す図である。
【図５】ポップダウン状態（ａ）及びポップアップ状態（ｂ）の電子ビューファインダを示す断面図である。
【図６】電子ビューファインダの可動ユニットがポップダウン状態からポップアップ状態へと移動する際のアシストレバーの動作を説明するための図である。
【図７】図６の各状態に対応したアシストレバー及びトグルバネの動作を説明するための図である。
【図８】電子ビューファインダのポップアップ時の移動速度を示すグラフである。
【図９】アシストレバーと第１の係止ピンとが当接する際の動作を説明するための図である。
【発明を実施するための形態】
【００１１】
以下、図面を参照して本発明の実施形態について詳細に説明する。なお、以下の説明においては、複数の図面に亘って記載された同一の部材については同一の符号を付与して重複する説明を省略する。
【００１２】
図１は、本発明の実施形態に係る撮像装置の斜視図であり、（ａ）は、正面の斜視図、（ｂ）は背面の斜視図である。図１（ａ）及び（ｂ）において、撮像装置１は、装置上面を覆うトップカバー１６、装置前面を覆うと共に外観を形成するフロントカバー９、及び、装置背面を覆うと共に外観を形成するリアカバー１０を備えている。トップカバー１６は、撮像装置１の上部の外観面を形成すると共に、後述する電子ビューファインダ２０及びストロボ装置３の開口部を形成している。
【００１３】
撮像装置１は、当該撮像装置１の正面に配置された鏡筒ユニット２と、上面に、ポップアップ可能に設けられたストロボ装置３及び電子ビューファインダ２０と、電源ボタン６、レリーズボタン４、モード設定ダイヤル８、及びマイク穴７を備えている。レリーズボタン４の外周部には、回動可能にズームレバー５が設けられている。鏡筒ユニット２は、撮像光学系（図示省略）を備えており、沈胴式であり、収納時は装置本体内、すなわち、撮像装置１の内部に沈胴する。
【００１４】
また、撮像装置１は、図示省略した撮像素子を備えている。撮像素子は、ＣＣＤやＣＭＯＳイメージセンサ等で構成され、鏡筒ユニット２の撮像光学系を介して結像された被写体の光学像を光電変換して画像データを生成する。撮像装置１には、撮像素子で生成された画像データをデジタル情報に変換する処理回路を搭載した主基板及び補助基板（共に、図示省略）が実装されている。
【００１５】
ストロボ装置３は、可動部材であり、撮像装置１に内蔵されており、撮影時に被写体の明るさが不足している場合にポップアップされて発光する。レリーズボタン４は、半押し状態（ＳＷ１がＯＮの状態）、及び全押し状態（ＳＷ２がＯＮの状態）の２段階の押圧操作が可能に構成されている。レリーズボタン４が全押し操作されると、被写体が撮影され、記録媒体（図示省略）に被写体像の画像データが記録される。
【００１６】
ズームレバー５は、一方向に回動操作されると、Ｔｅｌｅ側（画角が狭くなる方向）へのズーム動作を行い、他方向に回動操作されると、Ｗｉｄｅ側（画角が広がる方向）へのズーム動作を行う。電源ボタン６は、撮影者によって押下されると、撮像装置１を非使用状態であるオフ状態から使用可能なオン状態に切り替え、またオン状態からオフ状態に切り替える。
【００１７】
マイク穴７は、集音性を考慮して撮像装置１の上方に設けられており、撮像装置１に内蔵されたマイクに音声が取り込まれるように機能する。モード設定ダイヤル８は回転可能に支持されている。モード設定ダイヤル８の天面には、各種撮影モードに応じた複数のアイコン（図示省略）が印刷されており、このアイコンを撮像装置１に形成された指標（図示省略）に合わせることによって、アイコンに応じた各種モード等の設定を行うことができる。
【００１８】
可動部材としての電子ビューファインダ２０は、収納位置と使用位置との間を移動可能に構成されている。すなわち、電子ビューファインダ２０は、非使用時、撮像装置１内の収納位置に収納されており、使用時には撮像装置１の上方へとポップアップ（突出）して使用位置まで移動し、当該使用位置で使用される。撮像装置１に収納されている間、電子ビューファインダ２０は、ロック機構によって撮像装置１の収納位置に固定された状態で収納されている。
【００１９】
撮像装置１には、電源となる主電池（図示省略）及び撮影された被写体像を記録する記録媒体（図示省略）が内蔵されている。撮像装置１の側面には電源や信号の入出力用のジャック（図示省略）が設けられており、これらのジャックは、ジャック保護用のジャックカバー１１で覆われている。ジャックカバー１１を開けると入出力用ジャックが露出し、各種ケーブル類の抜き差しが可能となる。
【００２０】
撮像装置１の背面には、表示装置１５及び操作ボタン群１２が設けられている。操作ボタン群１２は、複数の操作ボタンでら構成されており、中央には十字ボタンが配置されている。操作ボタン群１２の各操作ボタンは、撮影条件の変更や再生画面への切り替えなど各種指示を入力する際に利用される。
【００２１】
表示装置１５は、撮影する被写体像の確認や、撮像画像の再生表示のために用いられる。表示装置１５としては、例えば、液晶ディスプレイが用いられる。表示装置１５は、ヒンジ装置（図示省略）を介してチルト動作を行うことができるように、撮像装置１本体に取り付けられている。
【００２２】
撮像装置１の上述したジャックカバー１１と対向する側面には、フロントカバー９とリアカバー１０にまたがるように、外観面を形成しているサイドカバー１３が配置されている。サイドカバー１３には、解除レバー１４がスライド操作可能に設けられており、解除レバー１４を操作することによって、電子ビューファインダ２０のロックが解除されてポップアップ動作が行われる。電子ビューファインダ２０のポップアップ動作の詳細については、後述する。
【００２３】
次に、図１の撮像装置１における電子ビューファインダ２０について説明する。図２は、電子ビューファインダをポップアップさせた撮像装置１の斜視図である。図２において、（ａ）は、電子ビューファインダ２０が撮像装置１から上方へポップアップした状態を示し、（ｂ）は、電子ビューファインダ２０の接眼部２８を撮像装置１の背面側にポップアップさせた状態を示す。
【００２４】
図２（ａ）において、電子ビューファインダ２０は、撮像装置１本体から上方へとポップアップしている。上述したように、電子ビューファインダ２０は、撮像装置１の側面に配置された解除レバー１４を操作することによって、撮像装置１に収納された収納位置（図１）から使用位置（図２（ａ））までポップアップする。
【００２５】
電子ビューファインダ２０のポップアップ状態（図２（ａ））からさらに、電子ビューファインダ２０の接眼部２８を、撮像装置１の背面側へと引き出した状態が図２（ｂ）である。図２（ｂ）において、電子ビューファインダ２０は、接眼部２８が手前側へと引き出された使用可能状態になっており、撮影者（ユーザ）は、接眼部２８から、撮影する被写体像の確認及び撮影画像の再生表示などを確認することができる。
【００２６】
撮像装置１には、接眼部２８が引出されたことを検知するセンサ（図示省略）が設けられており、当該センサによって接眼部２８が手前（撮影者）側に引き出されたことを検知した際、表示装置１５と電子ビューファインダ２０の表示の切り替えが行われる。すなわち、センサによって接眼部２８が引き出されたことが検知された場合は、ビューファインダ２０へ画像表示を行い、接眼部２８が電子ビューファインダ２０に収納された場合は、接眼部２８の背面の表示装置１５へ画像表示が行われる。なお、表示装置１５と電子ビューファインダ２０における表示の切り替えは、上記方法に限定されるものではない。例えば、接眼部２８付近に赤外線近接センサを設け、該赤外線近接センサによって撮影者が接眼部２８をのぞいたことが検知された際、表示装置１５から電子ビューファインダ２０へ表示切り替えが行われるようにすることもできる。
【００２７】
次に、電子ビューファインダ２０の構成について詳細に説明する。
【００２８】
図３は、電子ビューファインダ２０の展開図である。電子ビューファインダ２０は、上面を覆うとともに外観面を形成するトップケース２１ａ、及び側面を覆うとともに外観面を形成するサイドケース２１ｂを備えている。トップケース２１ａ及びサイドケース２１ｂで囲まれた空間内に、ＥＶＦケース２５に支持された接眼部２８と、該接眼部２８の対向面に形成された表示パネル２６が収容されている。
【００２９】
ＥＶＦケース２５の下部には基板（図示省略）が配置されており、この基板には、撮像装置１内部の主基板からの画像信号を伝達するためのフレキシブル基板（図示省略）が接続されている。このフレキシブル基板（図示省略）を介して表示パネル２６へ画像信号が伝達される。ＥＶＦケース２５の内部には光学レンズ群（図示省略）が収容されており、表示パネル２６に表示された画像を接眼部２８から覗いて確認できるようになっている。表示パネル２６及び接眼部２８を支持するＥＶＦケース２５は、サイドケース２１ｂと共に複数の締結ビス２７によってベースプレート２２に固定されている。
【００３０】
ベースプレート２２は、板金材料で形成されており、ベースプレート２２には、２本の金属材料で形成されたガイドバー２３が加締められている。２本のガイドバー２３の下方端近傍に設けられた溝には、それぞれＥリング２４が固定されている。Ｅリング２４は、径方向へと大きくなるように形成されたフランジ形状を呈している。
【００３１】
ベースプレート２２に加締められた２本のガイドバー２３は、固定部材としてのＥＶＦフォルダ３０に挿通されている。ＥＶＦフォルダ３０は、樹脂材料で形成されており、ベースプレート２２を上下にスライド可能に保持している。組み立ての際、ガイドバー２３をＥＶＦフォルダ３０に挿通した後、ガイドバー２３の下方端近傍の溝にＥリング２４を固定することによって、スライド時の抜け止めが行われている。ＥＶＦフォルダ３０は、フロントカバー９（図１参照）に対して位置決め固定されている。すなわち、ＥＶＦフォルダ３０は、撮像装置１本体の所定位置に固定された固定部材である。
【００３２】
ＥＶＦフォルダ３０の内部には、付勢手段としてのポップアップバネ３１が収納されている。ポップアップバネ３１は、ガイドバー２３に支持された電子ビューファインダ２０を装置本体内の収納位置から装置本体から突出した使用位置に向かって付勢する。
【００３３】
ポップアップバネ３１の端部を抑えるように、ＥＶＦフォルダ３０には板金材料によって形成されたバネホルダ３２が固定されている。また、ＥＶＦフォルダ３０には、該ＥＶＦフォルダ３０に対して所定方向にスライド可能に構成されたロックレバー３３が形成されている。ロックレバー３３は、撮像装置１に収納状態で保持された電子ビューファインダ２０を収納位置でロックする。電子ビューファインダ２０を使用する際には、上述の解除レバー１４を操作することによって、ロックレバー３３がスライドし、これによって電子ビューファインダ２０のロックが解除され、撮像装置１からポップアップする。
【００３４】
ポップアップバネ３１によってポップアップした電子ビューファインダ２０を、さらにポップアップさせるための構成部材としてアシストレバー３４及びトグルバネ３５が設けられている。レバー部材としてのアシストレバー３４は、ＥＶＦフォルダ３０の側面部に固定された保持プレート３６によって回動自在に保持されている。保持プレート３６は、締結ビス３７によってＥＶＦフォルダ３０の側面に固定されている。バネ部材としてのトグルバネ３５は、一端がアシストレバー３４の一端に、他端がＥＶＦフォルダ３０に固定された保持プレート３６のピン３６ａに係合されている。ピン３６ａは、保持プレート３６に加締められている。
【００３５】
次に、電子ビューファインダ２０の可動部分及びアシストレバー３４について説明する。
【００３６】
図４は、電子ビューファインダ２０の可動部分（ａ）及びアシストレバー３４（ｂ）を示す図である。電子ビューファインダ２０の可動部分とは、電子ビューファインダ２０を可動させる際に、収納位置から使用位置に向かって移動する電子ビューファインダ２０の構成部材の総称であり、以下、可動ユニットという。可動ユニットには、表示パネル２６、接眼部２８、及びこれらを支持するＥＶＦケース２５、ＥＶＦケース２５が固定されたベースプレート２２、ベースプレート２２の下方へと伸びる腕部２２ｃ及びガイドバー２３が含まれる。なお、以下、便宜上、電子ビューファインダ２０の可動ユニットを、電子ビューファインダと同じ符号「２０」で示す。
【００３７】
図４（ａ）の可動ユニットにおいて、接眼部２８を支持するＥＶＦケース２５は、トップケース２１ａ及びサイドケース２１ｂによって覆われた状態でベースプレート２２に固定されている。ベースプレート２２は、下方へと伸びる腕部２２ｃを備えており、腕部２２ｃにはその移動方向に間隔を隔てて下方の第１の係止ピン２２ａ及び上方の第２の係止ピン２２ｂが加締められている。係止部材としての第１の係止ピン２２ａは、ポップダウン位置においてロックレバー３３（図３参照）に係止されることにより可動ユニット２０を撮像装置１内の収納位置で保持している。
【００３８】
図４（ｂ）において、アシストレバー３４は、回転軸３４ａを中心に回動可能に保持されるレバー部材である。アシストレバー３４は、可動ユニット２０が移動する際に第１の係止ピン２２ａが当接する第１の当接部３４ｂ及び第２の当接部３４ｃを備えている。第１の当接部３４ｂ及び第２の当接部３４ｃにおける第１の係止ピン２２ａが当接する表面には、後述するように、衝撃吸収材が貼着されている。第１の当接部３４ｂの先端部には上述のトグルバネ３５（図３参照）の一端を引掛けて係合させるための爪部３４ｄが形成されている。
【００３９】
以下、このような構成の可動ユニットのポップアップ動作について、図５〜図７を参照しつつ詳細に説明する。
【００４０】
図５は、ポップダウン状態（ａ）及びポップアップ状態（ｂ）の電子ビューファインダを示す断面図である。図５（ａ）において、電子ビューファインダ２０は、ポップダウン状態（収納状態）にあり、ロックレバー３３によってベースプレート２２の第１の係止ピン２２ａが係止された状態で収納位置に保持されている。このとき、ポップアップバネ３１によってガイドバー２３のＥリング２４が上方に向かって押圧されるので、可動ユニット２０はの使用位置方向に付勢されている。可動ユニット２０の収納状態において、ポップアップバネ３１は最も圧縮された状態となり、バネ荷重は最大値となる。
【００４１】
一方、図５（ｂ）において、電子ビューファインダ２０はポップアップ状態にあり、ポップアップバネ３１によって押し上げられたガイドバー２３のＥリング２４は、ＥＶＦフォルダ３０の上部に突き当たって停止している。可動ユニット２０のポップアップ状態において、ポップアップバネ３１は最も伸びた状態となり、バネ荷重は最小値となる。
【００４２】
図６は、電子ビューファインダの可動ユニット２０がポップダウン状態（ａ）からポップアップ状態（ｄ）へと移動する際のアシストレバー３４の動作を説明するための図である。また、図７は、図６の各状態（（ａ）〜（ｄ））に対応したアシストレバー３４及びトグルバネ３５の動作を説明するための図である。
【００４３】
図６（ａ）において、可動ユニット２０はポップダウンしており、ロックレバー３３がベースプレート２２の第１の係止ピン２２ａに係合し、可動ユニット２０が停止した状態を維持している。このとき、ベースプレート２２の第２の係止ピン２２ｂは、図７（ａ）に示すように、アシストレバー３４の第１の当接部３４ｂの直上部に位置し、当該アシストレバー３４が上方向に回動するのを制止している。
【００４４】
トグルバネ３５は、Ω形状を呈しており、一端（図７中、左端）がアシストレバー３４の第１の当接部３４ｂの先端の爪部３４ｄに係合されている。すなわち、爪部３４ｄは、アシストレバー３４とトグルバネ３５との係合部として機能する。一方、トグルバネ３５の他端（図７中、右端）は、ＥＶＦフォルダ３０に固定された保持プレート３６（図３）のカシメピン３６ａに係合されている。従って、トグルバネ３５の右端位置は固定である。これに対して、トグルバネ３５の左端位置は、ポップアップ時に上方向に移動する第１の係止ピン２２ａによって押し上げられるアシストレバー３４の回動に伴って上方向に向かってその位置を可変する。
【００４５】
可動ユニット２０が装置本体内の収納位置にある図６（ａ）の状態において、トグルバネ３５とアシストレバー３４との位置関係は、図７（ａ）に示すようになる。すなわち、アシストレバー３４の回転軸３４ａの中心と第１の接合部３４ｂの先端の爪部３４ｄの中心とを結ぶ直線Ｌ１（一点鎖線）と、トグルバネ３５の左右両端の中心を結ぶ直線Ｌ２（二点鎖線）とが角度θで交叉している。このとき、一点鎖線Ｌ１と二点鎖線Ｌ２は、共に、左下がりに傾斜しており、二点鎖線Ｌ２の傾斜角度は、一点鎖線Ｌ１の傾斜角度よりも大きくなっている。
【００４６】
トグルバネ３５は、その左端（作用点）と右端（支点）との間隔を広げるように作用する。従って、図７（ａ）の状態では、爪部３４ｄ（作用点）には、トグルバネ３５の作用力Ｆの分力である下向きの力Ｆ１が作用し、結果として、アシストレバー３４を矢印Ａ方向（第１の円弧方向）に回動させるモーメントがはたらく。なお、このとき、トグルバネ３５によって付勢されたアシストレバー３４は、ＥＶＦフォルダ３０の端面に突き当たった状態で停止している。
【００４７】
次に、図６（ｂ）は、可動ユニット２０を図６（ａ）のポップダウン状態から、ロックレバー３３を解除してポップアップしている途中の状態を示している。この状態で、可動ユニット２０は、伸張するポップアップバネ３１によって押し上げられて所定幅だけ上方に移動している。そして、可動ユニット２０の第１の係止ピン２２ａは、図６（ａ）の位置から上昇してアシストレバー３４の第１の当接部３４ｂの下側面に当接している。このとき、上述の一点鎖線Ｌ１と、二点鎖線Ｌ２との交叉角度は、図７（ｂ）に示したように、図７（ａ）の場合と同様、θのままである。従って、アシストレバー３４の爪部３４ｄには、図７（ａ）の場合と同様、アシストレバー３４を矢印Ａ方向へ回動するような下向きのモーメントがはたらく。
【００４８】
次いで、図６（ｃ）は、可動ユニット２０が図６（ｂ）の状態からさらに上昇した移動途中の状態を示している。ポップアップバネ３１の作用を受けて可動ユニット２０が図６（ｂ）の状態からさらに上昇すると、図７（ｃ）に示したように、第１の係止ピン２２ａは、トグルバネ３５による下向きの分力Ｆ１に対抗してアシストレバー３４の爪部３４ｄを上方に押し上げる。この状態では、トグルバネ３５による下向きの分力Ｆ１よりもポップアップバネ３１が伸張する上向き力の方が大きいからである。
【００４９】
本実施形態において、ポップアップバネ３１の付勢力によって、可動ユニット２０が図６（ａ）の収納位置から、第１の係止ピン２２ａがアシストレバー３４の爪部３４ｄを図７（ｃ）の状態に押し上げるまでの移動幅をポップアップバネ移動幅という。可動ユニット２０が上昇してポップアップバネ移動幅の終点に達する際のトグルバネ３５によって爪部３４ｄに作用する下向きの分力Ｆ１は、伸張するポップアップバネ３１の可動ユニット２０を上方に向かって押し上げる力とは逆方向に作用する。すなわち、爪部３４ｄに作用する下向きの分力Ｆ１は、可動ユニット２０が上昇する速度を減速するブレーキとして作用する。可動ユニット２０が、ポップアップバネ移動幅の最上部（終点）に近づくほどその移動速度は減速する。これによって、ポップアップバネ３１の作用による可動ユニット２０のポップアップバネ移動幅の終点近傍における衝撃及び騒音が低減するという効果が得られる。
【００５０】
図７（ｃ）において、トグルバネ３５の左端は、第１の係止ピン２２ａによって右端と同じ高さまで押し上げられており、一点鎖線Ｌ１と二点鎖線Ｌ２とが水平状態で重なっている。この場合、作用点であるアシストレバー３４の爪部３４ｄにかかるモーメント（分力Ｆ１）は、０となり、トグルバネ３５の荷重は、アシストレバー３４に対して矢印Ａ方向及び矢印Ｂ方向のいずれの方向にも作用しておらず、中立の状態を保持している。なお、後述するように、トグルバネ３５が中立の状態を通過して左端が右端よりも高くなると、トグルバネ３５の作用によって爪部３４ｄに作用する分力Ｆ１の向きが逆転し、アシストレバー３４は、矢印Ｂ方向に回動する。従って、一点鎖線Ｌ１と二点鎖線Ｌ２との交叉角度θが０となって水平方向に重なる図７（ｃ）の状態をトグルバネ３５の変曲点という。なお、変曲点を過ぎると、一点鎖線Ｌ１に対する二点鎖線Ｌ２の傾きが入れ替わる。
【００５１】
次いで、図６（ｄ）は、可動ユニット２０がポップアップして停止した状態を示している。
【００５２】
ポップアップバネ３１が自然長に戻る作用によって、第１の係止ピン２２ａがアシストレバー３４を図７（ｃ）の状態からわずかに上まで押し上げると、トグルバネ３５は、左端が右端よりも高くなって一点鎖線Ｌ１と二点鎖線Ｌ２とが重なる変曲点を通過する。このとき、作用点である爪部３４ｄに作用するモーメントは、矢印Ｂ方向（上方向）に変化する。
【００５３】
図６（ｄ）に対応する図７（ｄ）において、アシストレバー３４は、矢印Ｂ方向へ回動し、当該アシストレバー３４の第２当接部３４ｃの上側面が第１の係止ピン２２ａに当接し、当該第１の係止ピン２２ａを図６（ｃ）の状態よりも上方に押し上げる。第１の係止ピン２２ａが図６（ｃ）の状態よりも上方に押し上げられることによって、可動ユニット２０は、撮像装置本体からに十分に突出して使用位置に到達する。
【００５４】
アシストレバー３４及びこれを回動させるトグルバネ３５は、可動ユニット２０がポップアップバネ３１による移動幅の終点に達する前に、アシストレバー３４が可動ユニット２０の第１の係止部材（２２ａ）と当接するような位置関係に配置されている。また、この位置関係は、ポップアップバネ３１が自然長に戻る際、可動ユニット２０の第１の係止部材（２２ａ）がトグルバネ３５の左端（爪部３４ｄ）を図７（ｃ）の状態よりもわずかに上方に押し上げることができる関係である。
【００５５】
以上、説明したように、ポップアップバネ３１の自然長に戻る伸張力によって第１の係止ピン２２ａが図６（ｃ）の状態よりも上方に押し上げられることによって、トグルバネ３５は、変曲点を通過して作用点である爪部３４ｄを矢印Ｂ方向に押し上げる。これによって、可動ユニット２０は、さらに上昇して使用位置まで達して停止する。可動ユニットがポップアップして停止した状態では、図５（ｂ）に示したように、ガイドバー２３のＥリング２４がＥＶＦフォルダ３０の上部に突き当たることによって、可動ユニット２０は停止する。
【００５６】
可動ユニット２０の移動幅は、ポップアップバネ３１だけの場合のポップアップバネ移動幅に比べてより長くなり、移動幅が増大する。アシストレバー３４の第２の当接部３４ｃが第１の係止ピン２２ａを押し上げる速度、すなわち、トグルバネ３５の変位点通過後の可動ユニット２０の上昇速度は、上昇速度にブレーキがかかる図６（ｃ）の状態になる場合の速度よりも大きくなる。
【００５７】
以下、電子ビューファインダ２０をポップアップさせるときの動作速度の変化について説明する。図８は、電子ビューファインダ２０のポップアップ時の移動速度を示すグラフである。縦軸は、電子ビューファインダ２０を収納位置から使用位置までポップアップさせる際の移動速度を示し、横軸は、経過時間ｔを示す。
【００５８】
図８において、ロックレバー３３が解除されると可動ユニット２０のポップアップ動作が始まり、第１の係止ピン２２ａがアシストレバー３４の第１当接部３４ｂに当接するまで可動ユニット２０は速い速度で上方に向かって移動する。その後、トグルバネ３５の変曲点に到達するまでは、アシストレバー３４は図７の矢印Ａ方向に付勢されるので、第１の係止ピン２２ａにポップアップ方向とは反対方向の荷重が加わり、可動ユニット２０の移動速度は遅くなる。トグルバネ３５の変曲点を過ぎた後、アシストレバー３４は、図７中、矢印Ｂ方向に付勢されるので、第１の係止ピン２２ａにポップアップ方向と同じ方向の荷重が加わり、移動速度は若干加速する。
【００５９】
本実施形態によれば、可動ユニット２０が、ポップアップバネ３１によるポップアップバネ移動幅の終点に近づくと、第１の係止ピン２２ａがアシストレバー３４の第１の当接部３４ｂに当接する。そして、ポップアップバネ３１によって付勢された第１の係止ピン２２ａは、第１の当接部３４ｂの先端部の爪部３４ｄを上方に押し上げ、トグルバネ３５の変曲点を経た後、アシストレバー３４の第２の当接部３４ｃに当接する。第１の係止ピン２２ａがアシストレバー３４の第２当接部３４ｃに当接した際、アシストレバー３４には、変曲点を経過したトグルバネ３５による矢印Ｂ方向のモーメントが作用する。これによって、アシストレバー３４は矢印Ｂ方向へ回動し、第１の係止ピン２２ａは、更に上方に押し上げられる。第１の係止ピン２２ａが押し上げられることによって、可動ユニット２０がポップアップバネ移動幅を超えて、さらに高い位置まで移動する。従って、装置本体を大型化することなく、可動ユニット２０を確実にポップアップ位置へと移動させることが可能となり、かつポップアップバネ３１だけを採用した従来技術に比べて移動幅をより延長することができる。
【００６０】
また、本実施形態によれば、アシストレバー３４とトグルバネ３５を組み合わせたことにより、トグルバネ３５は、その変曲点に達する際、可動ユニット２０のポップアップ速度を低減するように動作する。これによって、ポップアップ終了時付近における衝撃を及び騒音を緩和することができる。
【００６１】
本実施の形態において、第１の係止ピン２２ａとアシストレバー３４との当接部に、衝撃吸収材を貼着することが好ましい。これによって、第１の係止ピン２２ａとアシストレバー３４とが当接する際の衝撃を緩和し、騒音を低減することができる。
【００６２】
図９は、アシストレバー３４と第１の係止ピン２２ａとが当接する際の動作を説明する図である。
【００６３】
図９において、（ａ）は、電子ビューファインダ２０がポップアップ途中で、第１の係止ピン２２ａがアシストレバー３４の第１の当接部３４ｂに衝突した状態を示している。また、（ｂ）は、ポップアップ動作が進み、トグルバネ３５（図７参照）の変曲点を過ぎて、アシストレバー３４が矢印Ｂの付勢方向へ回動して第２の当接部３４ｃが第１の係止ピン２２ａに衝突した状態を示している。
【００６４】
アシストレバー３４の第１の当接部３４ｂ及び第２の当接部３４ｃの第１の係止ピン２２ａとの当接面には、衝撃吸収材として可撓性の材料で形成されたクッション部材３８が貼着されている。クッション部材３８を貼着したことにより、第１の係止ピン２２ａが第１の当接部３４ｂへ当接する際の衝撃（図９（ａ））、及び第２の当接部３４ｃへ当接する際の衝撃（図９（ｂ））がクッション部材３８に吸収される。従って、電子ビューファインダ２０のポップアップ時の衝撃音を緩和することができる。
【００６５】
なお、図９において、アシストレバー３４の第１の当接部３４ｂの上側面にもクッション部材３８を貼着することが好ましい。これによって、可動ユニット２０が使用位置から収納位置に戻る際、第２の係止ピン２２ｂとアシストレバー３４の第１の当接部３４ｂの上側面とが当接する際の衝撃、及び衝撃音を緩和することができる。
【００６６】
また、本実施形態において、アシストレバー３４及びクッション部材３８として、導電性材料で形成されたものを適用することが好ましい。これによって、可動ユニット２０が収納位置にある場合、アシストレバー３４の第１の当接部３４ｂは、第２の係止ピン２２ｂと当接して可動ユニット２０とＥＶＦフォルダ３０を電気的に導通させることができる。また可動ユニット２０が使用位置にある場合、アシストレバー３４の第２の当接部３４ｃは、第１の係止ピン２２ａと当接して可動ユニット２０とＥＶＦフォルダ３０を電気的に導通させることことができる。可動ユニット２０とＥＶＦフォルダ３０を電気的に導通させることによって、ポップアップ動作を滑らかにし、ノイズの発生を抑制することができる。
【００６７】
本実施形態では、電子ビューファインダ２０をポップアップさせる構成において、トグルバネ３５とアシストレバー３４との組み合わせ部材を適用したが、ポップアップさせる部材は、電子ビューファインダ２０に限定されるものではない。すなわち、上記の組み合わせ部材は、接眼部２８を備えた電子ビューファインダ２０の他、発光部を備えたストロボ装置、及びその他の装置をポップアップさせる機構として適用することができる。
【符号の説明】
【００６８】
１  撮像装置
９  フロントカバー
１６  トップカバー
２０  電子ビューファインダ
２２ａ  第１の係止ピン
２２ｂ  第２の係止ピン
３０  ＥＶＦフォルダ
３１  ポップアップバネ
３３  ロックレバー
３４  アシストレバー
３４ｂ  第１の当接部
３４ｃ  第２の当接部
３５  トグルバネ
３８  クッション部材
【図１】
2020086060.tif 000003
【図２】
2020086060.tif 000004
【図３】
2020086060.tif 000005
【図４】
2020086060.tif 000006
【図５】
2020086060.tif 000007
【図６】
2020086060.tif 000008
【図７】
2020086060.tif 000009
【図８】
2020086060.tif 000010
【図９】
2020086060.tif 000011